(57)【特許請求の範囲】
【請求項１】
上下に間隔を隔てて横設した上桟部材と下桟部材との間に着脱自在に幕板を取付けてなる什器における幕板取付装置であって、前記幕板の下端を前記下桟部材に載支するとともに、前記幕板の上端に取付けた保持具を前記上桟部材に着脱自在に係合すべく、前記上桟部材には立上片を有する断面略Ｌ字形の係合縁を形成し、前記保持具には前記係合縁の下端面に当止する受片と前記立上片の上端に抜止め係合し且つ上下方向への弾性復元性を有する係止片を形成するとともに、該係止片に上向き突出した引手片を一体形成してなることを特徴とする什器における幕板取付装置。
【請求項２】
前記保持具の受片と係止片との間に、該保持具を前記上桟部材に係合状態で前記立上片の外側面に当止する突片を形成してなる請求項１記載の什器における幕板取付装置。
【請求項３】
前記下桟部材の上面側に沿って、前記幕板の下端を載支すべく、幕板取付側へ向かって下方へ傾斜した傾斜板と該傾斜板の下終端縁から立ち上げた当止片とを有する支持縁を形成し、前記幕板の下端を傾斜板の下終端部に載支し且つ幕板の外側面を前記当止片に当止してなる請求項１又は２記載の什器における幕板取付装置。
【発明の詳細な説明】
【０００１】
【発明の属する技術分野】
本発明は、什器における幕板取付装置に係わり、更に詳しくは組立式の実験台やそれに類似する作業台、陳列台あるいは収納棚、筐体等の什器を構成するフレームに幕板を取付けるための幕板取付装置に関する。
【０００２】
【従来の技術】
従来、組立式の実験台等の什器において、脚杆又は支柱に横桟部材を連結してフレームを構成し、このフレームに側板、幕板及び天板等を取付けて組み立てるものが提供されている。
【０００３】
例えば、本出願人の提供に係る特開平８−２３８１３１号公報には、左右両側の後脚杆間の上下に上連結材と下連結材とを連結し、この上下連結材の間に幕板を取付ける構造が開示されている。即ち、幕板の上縁の両側部に係止部材を嵌着し、幕板の下縁を下連結材の断面四角形状の凹溝内に載置するとともに、前記係止部材を上連結材の補強板の立片に係止して取付けるのである。
【０００４】
しかし、前述の取付構造は、幕板を略垂直にした状態で係止部材の外側面に手前側に突設した把手を持って、幕板を上方に持ち上げた後、幕板の下端を下連結材の凹溝内に落とし込むと同時に、係止部材の背面側に設けた下方開放の係止溝を上連結材の立片に落とし込んで係止するものであり、特に上部は係止部材の背後の見えない位置での作業であり、狭い空間で把手をつまむ動作を伴うので作業性が悪いばかりでなく、前記凹溝の幅は幕板の厚さよりも広く、また係止溝の幅は立片の厚さより広く設定してクリアランスを設けているため、取付状態で幕板が前後にガタつくといった問題を有していた。
【０００５】
【発明が解決しようとする課題】
本発明が前述の状況に鑑み、解決しようとするところは、組立式の実験台等の什器を構成するフレームにおいて、上下に間隔を隔てて横設した上桟部材と下桟部材との間に、幕板を簡単な作業によって取付けることが可能であり、しかもガタつきのない安定な取付状態を実現でき、更に幕板の取外しも簡単である什器における幕板取付装置を提供する点にある。
【０００６】
【課題を解決するための手段】
本発明は、前述の課題解決のために、上下に間隔を隔てて横設した上桟部材と下桟部材との間に着脱自在に幕板を取付けてなる什器における幕板取付装置であって、前記幕板の下端を前記下桟部材に載支するとともに、前記幕板の上端に取付けた保持具を前記上桟部材に着脱自在に係合すべく、前記上桟部材には立上片を有する断面略Ｌ字形の係合縁を形成し、前記保持具には前記係合縁の下端面に当止する受片と前記立上片の上端に抜止め係合し且つ上下方向への弾性復元性を有する係止片を形成するとともに、該係止片に上向き突出した引手片を一体形成してなる什器における幕板取付装置を構成した。
【０００７】
ここで、前記保持具の受片と係止片との間に、該保持具を前記上桟部材に係合状態で前記立上片の外側面に当止する突片を形成してなることが好ましい。更に、前記下桟部材の上面側に沿って、前記幕板の下端を載支すべく、幕板取付側へ向かって下方へ傾斜した傾斜板と該傾斜板の下終端縁から立ち上げた当止片とを有する支持縁を形成し、前記幕板の下端を傾斜板の下終端部に載支し且つ幕板の外側面を前記当止片に当止してなることにより、幕板下部のガタつきを抑制するのである。
【０００８】
【発明の実施の形態】
次に添付図面に示した実施形態に基づき更に本発明の詳細を説明する。図１は、本発明の要部を示した断面図、図２及び図３は保持具を示し、図４は幕板を取外す作業の様子を示した要部の断面図であり、図中符号１は幕板、２は保持具、３は上桟部材、４は下桟部材をそれぞれ示している。
【０００９】
前記幕板１は、板状のものであれば、特にその材質、形状は限定されないが、本実施形態では長方形状のものを示している。
【００１０】
前記保持具２は、前記幕板１の上端両側部又は中央部に、嵌着又は嵌着と接着とを併用して又はネジ止めして取付ける合成樹脂製の部材である。更に詳しくは、前記保持具２は、本体部５には前記幕板１の上縁を嵌合する下向き開放した挾持溝６を形成し、本体部５の背面側に略水平に受片７を突設するとともに、本体部５の上部に断面倒Ｕ字状となして前記受片７と同一方向に係止片８を形成し、更に該係止片８の上面に上向き突出した引手片９を一体形成したものである。また、前記受片７と係止片８との間に突片１０を形成し、前記係止片８の先端部下面にヤジリ状に設けた爪部１１の段部と前記突片１０の先端の両鉛直線上の間隔を、前記幕板１の板厚と一致又は板厚よりも若干大きく設定している。このように形成した前記係止片８は、上下方向への弾性復元性を有している。また、前記挾持溝６は、その前後内壁面には抜止め用の鋸歯状凹凸１２を形成している。更に、前記受片７の先端上面側には、傾斜した案内面１３を形成している。ここで、前記保持具２は、合成樹脂製の押出し成形品を適宜な長さに切断して形成しても、また射出成形品でも良い。
【００１１】
前記上桟部材３は、スチール製の部材で、下部に断面略Ｌ字形の係合縁１４を形成したものであり、該係合縁１４は、下片１４Ａとその先端の立上片１４Ｂとからなっている。しかし、当該上桟部材３は、少なくとも係合縁１４を備えていること以外に限定は不要であり、また木製の長尺部材に断面Ｌ字形のアングル金具を取付けて係合縁１４となしても良い。
【００１２】
前記下桟部材４は、スチール製の部材で、上面側に沿って、前記幕板１の下端を載支する支持縁１５を形成したものであり、該支持縁１５は、幕板取付側へ向かって下方へ傾斜した傾斜板１５Ａと該傾斜板１５Ａの下終端縁から立ち上げた当止片１５Ｂとからなっている。しかし、当該下桟部材４は、少なくとも支持縁１５を備えていること以外に限定は不要であり、また木製の長尺部材に断面Ｖ字形又は断面Ｚ字形の金具を取付けて支持縁１５となしても良い。
【００１３】
そして、本発明は、上下に間隔を隔てて横設した上桟部材３と下桟部材４との間に着脱自在に幕板１を着脱自在に取付けてなるものである。つまり、下部においては、前記幕板１の下端１Ｂを、前記下桟部材４の支持縁１５を構成する傾斜板１５Ａの下終端部に載支し且つ幕板１の外側面を前記当止片１５Ｂに当止する。また、上部においては、前記幕板１の上端１Ａに取付けた保持具２の受片７を前記上桟部材３の係合縁１４を構成する下片１４Ａの下端面に当止するとともに、前記係止片８の爪部１１を立上片１４Ｂの上端に抜止め係合している。ここで、幕板１の取付手順は、先ず幕板１の上部を手前側に傾斜させた状態で、その下端１Ｂを下桟部材４に形成した支持縁１５の傾斜板１５Ａに乗せ、次に幕板１の上端１Ａに取付けた保持具２を上桟部材３の係合縁１４に押し付けると、受片７は案内面１３で案内されながら係合縁１４の下片１４Ａの下端面を摺動すると同時に、係止片８の爪部１１が係合縁１４の立上片１４Ｂの先端を乗り越えて抜止め係合する。この状態で、幕板１の下端１Ｂは、傾斜板１５Ａの下終端部に位置し且つ幕板１の外側面が前記当止片１５Ｂに当止するのである。また、幕板１は、前記保持具２の突片１０が、係合縁１４の立上片１４Ｂの外側面に当接することによって、横方向の移動が規制される。
【００１４】
次に、幕板１の取外し手順を図４に基づいて説明する。図４(a) は、幕板１の上端１Ａに取付けた保持具２を上桟部材３の係合縁１４に係着した状態を示し、その状態から保持具２の引手片９に指を掛けて手前に引くことにより、図４(b) に示すように、前記係止片８が上方に弾性変形して爪部１１が立上片１４Ｂから外れると同時に、保持具２を手前側へ取外すことができる（図４(c) 参照）。
【００１５】
【実施例】
次に、本発明の具体的な実施例を図５〜図８に基づいて説明する。図５は本発明の什器における幕板取付装置を適用した組立式の実験台の代表的実施例を示し、図中符号１６は脚部材、１７は横部材、３は上桟部材、４は下桟部材、１８は天板、１９は側板をそれぞれ示している。
【００１６】
前記脚部材１６は、角パイプからなる前脚杆２０と後脚杆２１の上下間に、上横杆２２と下横杆２３とを固定して枠組み形成したものであり、前記前脚杆２０の側面板の上端部に縦長のスリット孔２４を形成している。本実施例では、前記脚部材１６を少なくとも一対用い、互いに所定間隔を隔てて配設し、前記スリット孔２４が両脚部材１６の相対向する側面板に形成されている。
【００１７】
前記横部材１７は、垂直な基板２５の上縁を後方へ直角に折曲して固定板２６を形成するとともに、該基板２５の下縁を後方へ直角に折曲し且つその後縁を垂直に立ち上げて断面倒Ｌ字形の補強板２７を形成したものであり、前記基板２５の両端縁に前記スリット孔２４を利用して脚部材１６に連結するための連結部２８を突設したものである。前記連結部２８は、基板２５の端縁下部に下端部を余して前記スリット孔２４に密嵌する嵌合片２８Ａを突設し且つ該嵌合片２８Ａの下半部に前記スリット孔２４内の孔縁部に係止するフック片２８Ｂを下向きに延設したものである。
【００１８】
そして、前記脚部材１６に横部材１７を連結するには、図６に示すように、先ず脚部材１６の前脚杆２０に形成したスリット孔２４に、横部材１７の連結部２８をフック片２８Ｂの先端部から挿入し、その際、脚部材１６と横部材１７とのなす角度が鋭角になるように一方の部材を傾斜させ、フック片２８Ｂの先端部がその鋭角内に位置するように設定し、フック片２８Ｂがスリット孔２４の下縁の孔縁部に係止するように横部材１７を押し下げながら脚部材１６と横部材１７とが直角になるまで一方の部材を回転させると、フック片２８Ｂがスリット孔２４の下縁に係止すると同時に嵌合片２８Ａがスリット孔２４内に密嵌する。
【００１９】
更に、横部材１７の連結箇所以外の両脚部材１６，１６の他の部分間、本実施例では後脚杆２１，２１の上下端間に上桟部材３と下桟部材４をネジ止めにて連結し、両脚部材１６，１６の平行状態を維持することによって、横部材１７と両脚部材１６，１６との連結を確実にするのである。
【００２０】
このように、所定間隔を隔てて配設した両脚部材１６，１６を、横部材１７と上桟部材３及び下桟部材４とで連結して形成したフレームの上端に、天板１８を載置して、横部材１７と上方の上桟部材３に下方からネジ止めして固定する。
【００２１】
また、前記脚部材１６の前脚杆２０、後脚杆２１、上横杆２２及び下横杆２３で囲まれた空間には、図５及び図７に示すように側板１９が取付けられている。即ち、上横杆２２には下方へ開放した係合溝２９が形成されており、該係合溝２９の両側縁部に沿って係合溝２９内へ傾斜した保持片３０，３０が折曲形成されている。一方、下横杆２３の上面には単又は複数の係合孔３１，３１が穿設されている。そして、前記側板１９の上縁部を前記上横杆２２の係合溝２９内に挿入した後、下方へ落として該側板１９の下端に突設したピン３２，３２を前記下横杆２３の係合孔３１，３１に落し込み係合して取付けるのである。
【００２２】
前記上桟部材３は、図８に示すように、両側端に設けた取付板３３を後脚杆２１の背面にネジ止めし、両後脚杆２１，２１の間に位置する部分の上縁に折曲形成した固定板３４に前記天板１８をネジ止めし、また下縁には前記係合縁１４を折曲形成したものである。
【００２３】
また、前記下桟部材４は、図８に示すように、両側端に設けた取付板３５を後脚杆２１の背面にネジ止めし、両後脚杆２１，２１の間に位置する部分の上縁に前記支持縁１５を折曲形成し、下縁に後斜め上方へ向けた補強用の折返片３６を形成したものである。
【００２４】
そして、図８に示すように、上桟部材３と下桟部材４との間には、前述の如く幕板１を着脱自在に取付けている。即ち、前記幕板１の上端１Ａの両側部に前記保持具２，２を取付け、幕板１の下端１Ｂを下桟部材４の支持縁１５の傾斜板１５Ａの傾斜終端に載支し且つ幕板１の前面側を当止片１５Ｂの背面に当止するともに、前記保持具２，２の受片７と係止片８とで上桟部材３の立上片１４Ｂを上下から挾持し且つ爪部１１を立上片１４Ｂの上端に抜止め係合させて取付けるのである。
【００２５】
このように、両脚部材１６，１６を横部材１７と上桟部材３及び下桟部材４とで連結して組立てたフレームに、天板１８を載置固定して実験台を構成した場合、両脚部材１６，１６と天板１８又は横部材１７とで足入れ空間が形成され、本実施例では図５に示すように、この足入れ空間内に引出し３７を取付けている。それには、先ず引出しの取付枠３８を天板１８の下面前部に固定し、該取付枠３８に引出し３７を前後引き出し可能に装着するのである。
【００２６】
また、本実施例では、前記脚部材１６の両側面板の内外同位置に前記スリット孔２４，２４を形成することによって、二以上の脚部材１６，…を横部材１７と上桟部材３及び下桟部材４で順次側方へ連結して大型の実験台に適した大きなフレームを構成することも可能である。尚、本実施例では、組立式の実験台を構成する場合について説明したが、それに類似する作業台、陳列台あるいは収納棚、筐体等のフレームにも同様に幕板１を取付けることが可能である。
【００２７】
【発明の効果】
以上にしてなる本発明の什器における幕板取付装置によれば、上下に間隔を隔てて横設した上桟部材と下桟部材との間に着脱自在に幕板を取付けてなる什器における幕板取付装置であって、前記幕板の下端を前記下桟部材に載支するとともに、前記幕板の上端に取付けた保持具を前記上桟部材に着脱自在に係合すべく、前記上桟部材には立上片を有する断面略Ｌ字形の係合縁を形成し、前記保持具には前記係合縁の下端面に当止する受片と前記立上片の上端に抜止め係合し且つ上下方向への弾性復元性を有する係止片を形成するとともに、該係止片に上向き突出した引手片を一体形成してなるので、幕板の下端を下桟部材に載支し、幕板の上端に取付けた保持具を上桟部材の係合縁に押し付けるだけで、幕板を上下桟部材間に簡単に取付けることができ、しかも係合縁の立上片を保持具の受片と係止片とで挾持するので上下のガタつきがなく、また幕板を取外す作業も、保持具の引手片に指を掛けて手前に引くだけで行うことができるので、狭い空間内であっても作業性に優れている。
【００２８】
また、前記保持具の受片と係止片との間に、該保持具を前記上桟部材に係合状態で前記立上片の外側面に当止する突片を形成してなると、上桟部材の係合縁に対して保持具をガタつきなく取付けることができる。
【００２９】
更に、前記下桟部材の上面側に沿って、前記幕板の下端を載支すべく、幕板取付側へ向かって下方へ傾斜した傾斜板と該傾斜板の下終端縁から立ち上げた当止片とを有する支持縁を形成し、前記幕板の下端を傾斜板の下終端部に載支し且つ幕板の外側面を前記当止片に当止してなるので、単に支持縁上に幕板の下端を載置するだけで、幕板の下端は傾斜板の下終端部に移動し且つ当止片で当止されるので、幕板の下端を前後ガタつきなく支持することができる。
【図面の簡単な説明】
【図１】本発明の要部を示す部分断面図である。
【図２】本発明に係る保持具を示し、(a) は側面図、(b) は背面図をそれぞれ示している
【図３】同じく保持具の斜視図である。
【図４】上桟部材の係合縁から保持具を取外す様子を示し、(a) は係合状態の部分断面図、(b) は引手片を手前側に引いた状態を示す部分断面図、(c) は係合縁から保持具を取外した状態を示す部分断面図である。
【図５】本発明の実施例を示す組立式の実験台の分解斜視図である。
【図６】同じく脚部材と横部材との連結構造を示す部分分解斜視図である。
【図７】脚部材に側板を取付ける構造を示す部分断面図である。
【図８】両脚部材に取付けた上桟部材と下桟部材との間に幕板を取付けた状態を示した部分断面図である。
【符号の説明】
１  幕板                  ２  保持具
３  上桟部材              ４  下桟部材
５  本体部                ６  挾持溝
７  受片                  ８  係止片
９  引手片                １０  突片
１１  爪部                １２  鋸歯状凹凸
１３  案内面              １４  係合縁
１４Ａ  下片              １４Ｂ  立上片
１５  支持縁              １５Ａ  傾斜板
１５Ｂ  当止片            １６  脚部材
１７  横部材              １８  天板
１９  側板                ２０  前脚杆
２１  後脚杆              ２２  上横杆
２３  下横杆              ２４  スリット孔
２５  基板                ２６  固定板
２７  補強板              ２８  連結部
２９  係合溝              ３０  保持片
３１  係合孔              ３２  ピン
３３  取付板              ３４  固定板
３５  取付板              ３６  折返片
３７  引出し              ３８  取付枠
【図１】
0003817917.tif 000002
【図２】
0003817917.tif 000003
【図３】
0003817917.tif 000004
【図４】
0003817917.tif 000005
【図５】
0003817917.tif 000006
【図６】
0003817917.tif 000007
【図７】
0003817917.tif 000008
【図８】
0003817917.tif 000009